(57)【要約】【課題】二次電池の寿命を精度よく予測することができる電池モジュール監視装置、充電装置および電池モジュールを提供する。【解決手段】車両に対して供給される電力を蓄電する複数の電池セルから構成される電池モジュールを監視する電池モジュール監視装置であって、電池セルごとに、蓄電された電力の充電量を履歴で記憶する記憶部と、電池セルに対して供給される電力の充電量を監視するとともに、電池モジュールに対する充電が完了したか否かを判定し、電池モジュールに対する充電が完了したと判定した場合に、電池セルに対する充電量を記憶部に記憶させる監視部と、記憶部に履歴で記憶された充電量に基づいて、他の電池セルとは異なる特性の電池セルがあるか否かを判定し、他の電池セルとは異なる特性の電池セルがあると判定した場合に、電池モジュールが寿命であると判定する充電判定部と、を備える。【選択図】図１０
2011196705.tif 000002
【特許請求の範囲】
【請求項１】
車両に対して供給される電力を蓄電する複数の電池セルから構成される電池モジュールを監視する電池モジュール監視装置であって、
前記電池セルごとに、蓄電された前記電力の充電量を履歴で記憶する記憶部と、
前記電池セルに対して供給される前記電力の充電量を監視するとともに、前記電池モジュールに対する充電が完了したか否かを判定し、前記電池モジュールに対する充電が完了したと判定した場合に、前記電池セルに対する充電量を前記記憶部に記憶させる監視部と、
前記記憶部に履歴で記憶された前記充電量に基づいて、他の前記電池セルとは異なる特性の電池セルがあるか否かを判定し、他の前記電池セルとは異なる特性の電池セルがあると判定した場合に、前記電池モジュールが寿命であると判定する充電判定部と、
を備えることを特徴とする電池モジュール監視装置。
【請求項２】
前記充電判定部は、前記記憶部に記憶された前記充電量から前記電池セルの平均充電量を求め、求めた前記平均充電量と前記電池セルの前記充電量との差であるずれ量を、前記履歴ごとに算出することにより、他の前記電池セルとは異なる特性の電池セルがあるか否かを判定する、
ことを特徴とする請求項１に記載の電池モジュール監視装置。
【請求項３】
前記充電判定部は、さらに、前記電池セルごとに前記ずれ量同士の差分を求め、求めた前記ずれ量の差分のばらつき度合いに応じて、他の前記電池セルとは異なる特性の電池セルがあるか否かを判定する、
ことを特徴とする請求項２に記載の電池モジュール監視装置。
【請求項４】
前記充電判定部は、前記ずれ量同士の差分の値と前記電池セルを特定するためのセル識別情報とを含む前記ばらつき度合いを示すデータの分布を前記履歴ごとに生成し、生成した前記分布を比較し、比較した前記分布の中で所定の閾値を超えて離散的となっている前記データが存在するか否かを判定することにより、他の前記電池セルとは異なる特性の電池セルがあるか否かを判定する、
ことを特徴とする請求項３に記載の電池モジュール監視装置。
【請求項５】
前記充電判定部は、他の前記電池セルとは異なる特性の電池セルがあると判定した場合に、前記電池モジュールが寿命である旨を前記電池モジュール監視装置に接続された表示装置に通知する、
ことを特徴とする請求項１〜４のいずれか１項に記載の電池モジュール監視装置。
【請求項６】
前記充電判定部は、他の前記電池セルとは異なる特性の電池セルの前記セル識別情報とともに前記電池モジュールが寿命である旨を前記表示装置に通知する、
ことを特徴とする請求項５に記載の電池モジュール監視装置。
【請求項７】
複数の電池セルから構成される電池モジュールが蓄電する電力を車両に対して供給する充電装置であって、
前記車両に対する充電操作を受け付ける操作表示部と、
前記操作表示部が前記操作を受け付けた場合に、前記車両に対する電力を供給する充電部と、
前記電池モジュールから充電が完了した旨の通知を受けて、前記電池モジュールを構成する前記電池セルごとに前記電力の充電量を履歴で記憶した外部の記憶装置から、履歴で記憶された前記充電量をネットワークを介して取得する通信部と、
前記通信部が取得した履歴で記憶された前記充電量に基づいて、他の前記電池セルとは異なる特性の電池セルがあるか否かを判定し、他の前記電池セルとは異なる特性の電池セルがあると判定した場合に、前記電池モジュールが寿命であると判定する充電判定部と、
を備えることを特徴とする充電装置。
【請求項８】
前記通信部は、さらに、前記電池モジュールから充電が完了した旨と共に前記車両を特定するための車両識別情報の通知を受けた場合に、前記車両識別情報をキーとして前記外部の記憶装置に前記車両識別情報ごとに履歴で記憶された前記車両の充電量を、前記ネットワークを介して取得し、
前記充電判定部は、前記通信部が取得した前記車両識別情報ごとに履歴で記憶された前記車両の充電量に基づいて、他の前記電池セルとは異なる特性の電池セルがあるか否かを判定し、他の前記電池セルとは異なる特性の電池セルがあると判定した場合に、前記電池モジュールが寿命であると判定する、
ことを特徴とする請求項７に記載の充電装置。
【請求項９】
車両に対して供給される電力を蓄電する複数の電池セルから構成される電池モジュールであって、
前記電池モジュールを監視する電池モジュール監視装置に履歴で記憶された前記電池セルごとに蓄電された前記電力の充電量に基づいて、他の前記電池セルとは異なる特性の電池セルがあるか否かを判定し、他の前記電池セルとは異なる特性の電池セルがあると判定した場合に、前記電池モジュールが寿命であると判定した旨を表示する表示部、
を備えることを特徴とする電池モジュール。
【請求項１０】
前記表示部は、さらに、前記電池モジュール監視装置が他の前記電池セルとは前記充電量が異なる電池セルを特定するためのセル識別情報によって、他の前記電池セルとは異なる特性の電池セルを特定した場合に、前記電池モジュール監視装置から前記電池モジュールが寿命であると判定した旨とともに、前記セル識別情報を表示する、
ことを特徴とする請求項９に記載の電池モジュール。
【発明の詳細な説明】
【技術分野】
【０００１】
本発明は、車両に搭載される電池モジュールの充電量を監視する電池モジュール監視装置、充電装置および電池モジュールに関するものである。
【背景技術】
【０００２】
近年、ハイブリッド車両や燃料電池車両に代表される電動車両の開発が盛んである。これらの電動車両は、モータ等の駆動装置から供給される駆動力によって走行し、その駆動装置の動力源としてバッテリ（二次電池）が搭載されている。
【０００３】
一般に、二次電池は繰り返し充放電が可能である。しかし、充放電を繰り返した場合、二次電池自体の充電量が低下したり、あるいは駆動装置を駆動させるために必要な電流量を得ることが出来なくなるという問題がある。電動車両は人命にも関わりうるものであるため、二次電池の寿命を延ばす技術が求められる一方で、寿命が近づいた電池モジュールを検出する技術も求められている。
【０００４】
例えば、特許文献１には、車両の走行履歴を収集し、電池の充電量と寿命との関係をマップ化したデータを参照しつつ、収集した走行履歴に応じて二次電池の寿命を予測する技術が開示されている。
【先行技術文献】
【特許文献】
【０００５】
【特許文献１】特開２００８−２７８５５９号公報
【発明の概要】
【発明が解決しようとする課題】
【０００６】
しかしながら、特許文献１に開示された技術では、二次電池を構成する複数のセルと呼ばれる単体電池１つ１つの放充電特性の違いに起因した、単体電池の個々の劣化速度の違いを考慮していない。したがって、二次電池自体の寿命を精度よく予測することができないという問題があった。
【０００７】
本発明は、上記に鑑みてなされたものであって、二次電池の寿命を精度よく予測することができる電池モジュール監視装置、充電装置および電池モジュールを提供することを目的とする。
【課題を解決するための手段】
【０００８】
上述した課題を解決し、目的を達成するために、本発明にかかる電池モジュール監視装置は、車両に対して供給される電力を蓄電する複数の電池セルから構成される電池モジュールを監視する電池モジュール監視装置であって、前記電池セルごとに、蓄電された前記電力の充電量を履歴で記憶する記憶部と、前記電池セルに対して供給される前記電力の充電量を監視するとともに、前記電池モジュールに対する充電が完了したか否かを判定し、前記電池モジュールに対する充電が完了したと判定した場合に、前記電池セルに対する充電量を前記記憶部に記憶させる監視部と、前記記憶部に履歴で記憶された前記充電量に基づいて、他の前記電池セルとは異なる特性の電池セルがあるか否かを判定し、他の前記電池セルとは異なる特性の電池セルがあると判定した場合に、前記電池モジュールが寿命であると判定する充電判定部と、を備えることを特徴とする。
【０００９】
また、本発明にかかる充電装置は、複数の電池セルから構成される電池モジュールが蓄電する電力を車両に対して供給する充電装置であって、前記車両に対する充電操作を受け付ける操作表示部と、前記操作表示部が前記操作を受け付けた場合に、前記車両に対する電力を供給する充電部と、前記電池モジュールから充電が完了した旨の通知を受けて、前記電池モジュールを構成する前記電池セルごとに前記電力の充電量を履歴で記憶した外部の記憶装置から、履歴で記憶された前記充電量をネットワークを介して取得する通信部と、前記通信部が取得した履歴で記憶された前記充電量に基づいて、他の前記電池セルとは異なる特性の電池セルがあるか否かを判定し、他の前記電池セルとは異なる特性の電池セルがあると判定した場合に、前記電池モジュールが寿命であると判定する充電判定部と、を備えることを特徴とする。
【００１０】
また、本発明にかかる電池モジュールは、車両に対して供給される電力を蓄電する複数の電池セルから構成される電池モジュールであって、前記電池モジュールを監視する電池モジュール監視装置に履歴で記憶された前記電池セルごとに蓄電された前記電力の充電量に基づいて、他の前記電池セルとは異なる特性の電池セルがあるか否かを判定し、他の前記電池セルとは異なる特性の電池セルがあると判定した場合に、前記電池モジュールが寿命であると判定した旨を表示する表示部、を備えることを特徴とする。
【発明の効果】
【００１１】
本発明によれば、二次電池の寿命を精度よく予測することができる電池モジュール監視装置、充電装置および電池モジュールを提供することができる。
【図面の簡単な説明】
【００１２】
【図１】第１の実施の形態にかかる充電システムの構成を示すブロック図である。
【図２】図１に示した表示装置の例を示す図である。
【図３】図１に示した電池モジュールの物理的な構成を示す図である。
【図４】図１に示した電池モジュール監視装置の機能的な構成を示すブロック図である。
【図５】図４に示した記憶部が記憶する充電履歴情報の一部の例を示す図である。
【図６】ｉ番目の電池セルのずれ量が推移する様子を示す図である。
【図７Ａ】ｊ−２回目に、判定処理部が求めたずれ量の差分の分布の例を示す図である。
【図７Ｂ】ｊ−１回目に、判定処理部が求めたずれ量の差分の分布の例を示す図である。
【図７Ｃ】ｊ回目に、判定処理部が求めたずれ量の差分の分布の例を示す図である。
【図８】充電システムで行われる充電処理のシーケンス図である。
【図９】判定処理の処理手順を示すフローチャートである。
【図１０】図９に示した判定処理のさらに具体的な処理手順を示すフローチャートである。
【図１１】本発明の第２の実施の形態にかかる充電システムの構成を示すブロック図である。
【図１２】本発明の第２の実施の形態にかかる電池モジュール監視装置の機能的な構成を示すブロック図である。
【図１３】本発明の第２の実施の形態にかかる充電システムで行われる充電処理のシーケンス図である。
【図１４】本発明の第３の実施の形態にかかる充電システムの構成を示すブロック図である。
【図１５】本発明の第３の実施の形態にかかる電池モジュールの外観を示す図である。
【図１６】本発明の第３の実施の形態にかかる充電システムで行われる充電処理のシーケンス図である。
【発明を実施するための形態】
【００１３】
以下に添付図面を参照して、本発明にかかる電池モジュール監視装置、充電装置および電池モジュールの実施の形態を詳細に説明する。
【００１４】
（第１の実施の形態）
図１は、本発明の第１の実施の形態にかかる充電システム１０００の構成を示すブロック図である。図１に示すように、充電システム１０００は、車両１００と、充電ステーション２００と、を含んで構成され、車両１００と充電ステーション２００とは、例えば、キャブタイヤケーブル等のケーブルＣＡによって電気的に接続されている。まず、車両１００について説明する。
【００１５】
車両１００は電動車両であり、例えば、ハイブリッド車両や燃料電池車両である。車両１００は、ケーブルＣＡを介して、充放電時に充電ステーション２００と電気的に接続される。図１に示すように、車両１００は、動力装置１０１と、表示装置１０２と、電池モジュール１０３と、電池モジュール監視装置１０４と、を含んで構成されている。
【００１６】
動力装置１０１は、車両１００を駆動させるための装置であり、エンジンおよびモータ等の装置を含んで構成されるものである。動力装置１０１は、例えば、不図示のＥＣＵ（Electronic  Control  Unit）からの制御を受け、エンジンまたはモータ、あるいはこれらを併用して車両１００を駆動させる。
【００１７】
表示装置１０２は、電池モジュール１０３の充電状態を表示するものであり、例えば、車両１００のインストルメントパネルである。
【００１８】
図２は、図１に示した表示装置１０２の例を示す図である。図２に示すように、表示装置１０２は、速度計等の走行情報を示す各種のメータの一部に、電池モジュール１０３の充電状態を示すインジケータＩを表示している。なお、表示装置１０２は、実際にはインストルメントパネルに上述した種々の情報を表示させるためのコントローラ等から構成される表示制御部（不図示）を有し、後述するように、車両１００の充電時において、電池モジュール監視装置１０４によって電池モジュール１０３が寿命となったか否かが判定され、その判定結果を受け取った場合に、表示制御部（不図示）が、上述したインジケータＩを表示装置１０２に表示させる。
【００１９】
このように、表示装置１０２が、車両１００の充電時にインストルメントパネルにインジケータＩを表示することによって、利用者は電池モジュール１０３の寿命を容易に確認できるとともに、電池モジュール１０３を交換すべきことを容易に認識することができる。
【００２０】
なお、このようなインジケータＩがインストルメントパネルに表示された場合、電池モジュール１０３が交換されることとなる。この場合、後述する電池モジュール監視装置１０４が記憶する充電履歴情報は、例えば、電池モジュール監視装置１０４の個別残容量監視部１０４２によって一旦リセットされ、その後に記憶された充電履歴情報にしたがって、電池モジュール監視装置１０４は電池モジュール１０３の寿命を判定する。
【００２１】
また、本実施の形態においては、表示装置１０２がインストルメントパネルであり、その一部に電池モジュール１０３が寿命となった旨を示すインジケータＩを表示することとしたが、これに代えて、電池モジュール１０３の交換を促すメッセージを表示したり、あるいは車載のナビゲーションシステムのモニタ上にこれらを表示させることとしてもよい。続いて、図１に戻り、電池モジュール１０３について説明する。
【００２２】
電池モジュール１０３は、蓄電可能な二次電池であり、例えば、リチウムイオン電池である。図３は、図１に示した電池モジュール１０３の物理的な構成を示す図である。図３に示すように、電池モジュール１０３は、複数の電池セルＣから構成され、電池モジュール監視装置１０４を介して、充電ステーション２００から供給される電力を一時的に蓄える。車両１００には、このような電池モジュール１０３が１または複数個搭載され、電池モジュール１０３に容量が蓄電されている間、上述した動力装置１０１を駆動させる。続いて、図１に戻り、電池モジュール監視装置１０４について説明する。
【００２３】
電池モジュール監視装置１０４は、電池モジュール１０３の充電状態を、電池セル単位でモニタするものである。本実施の形態においては、電池モジュール監視装置１０４は、不図示のＥＣＵ（Electronic  Control  Unit）とは異なる装置である前提で説明しているが、ＥＣＵの一部のチップとして構成されていてもよい。
【００２４】
図４は、図１に示した電池モジュール監視装置１０４の機能的な構成を示すブロック図である。図４に示すように、電池モジュール監視装置１０４は、記憶部１０４１と、個別残容量監視部１０４２と、判定処理部１０４３と、を含んで構成されている。
【００２５】
記憶部１０４１は、車両１００が充電ステーション２００によって充電された場合の過去の履歴（以下、充電履歴情報と呼ぶ。）を記憶するものであり、例えば、不揮発性のＲＡＭ（Random  Access  Memory）である。記憶部１０４１は、電池モジュール１０３を構成する電池セルＣごとに、１回あたりの充電量（Ａｈ）を示す充電実績量、残りどの程度の充電が可能かを示す充電可能量、電池セルＣがフルに充電した場合の充電量から充電可能量を差し引いた充電残容量、車両１００を充電した時期等の種々の情報を、充電履歴情報として記憶している。なお、以下では、記憶部１０４１は、過去３回分（直近、前回、前々回）の充電履歴情報を記憶するものとして説明しているが、少なくとも２回以上であればよい。
【００２６】
図５は、図４に示した記憶部１０４１が記憶する充電履歴情報の一部の例を示す図である。図５に示すように、記憶部１０４１は、個々の電池セルＣを一意に特定するための電池セルＩＤと、前々回、前回、直近の充電実績量とが対応付けて記憶されている。また、各回の個々の電池セルＣの充電実績量を平均した充電実績量（以下、平均充電実績量と呼ぶ。）が、各回ごとに記憶されている。図５には示していないが、記憶部１０４１は、これらの情報以外にも、電池セルＣがフルに充電した場合の充電量等、上述した各種の情報を記憶している。
【００２７】
また、記憶部１０４１は、後述するように、判定処理部１０４３が、電池セルＣごとに、充電実績量の平均充電実績量を算出し、算出した平均充電実績量からのずれ量（以下、単にずれ量と呼ぶ。）の差分のばらつき度合い（以下、ずれ量の差分の分布と呼ぶ。）を求め、特異な特性を有し、その特性によって特異な振る舞いをする電池セルＣを特定した場合において、その特異な振る舞いをする電池セルであることを示す警告フラグと、その電池セルの電池セルＩＤとを対応付けて記憶する。続いて、図４に戻り、個別残容量監視部１０４２について説明する。
【００２８】
個別残容量監視部１０４２は、電池モジュール１０３の状態（例えば、電力の充電量がどの程度となっているか）を監視するものである。個別残容量監視部１０４２は、充電ステーション２００が充電を開始するための操作を受け付けた場合に、充電ステーション２００から電池モジュール１０３の容量チェックの指示を受けると、電池モジュール１０３の電圧をチェックし、その結果を電池モジュール１０３から受け取る。
【００２９】
また、個別残容量監視部１０４２は、電池モジュール１０３から電池モジュール１０３の電圧をチェックした結果を受けると、電池セルＣの充電可能量を求め、求めた充電可能量を充電ステーション２００に送る。電池セルＣの充電可能量を求める方法としては、例えば、電池セルＣの電圧と電池セルＣの容量を参照し、電池セルＣに充電する電流の量と電池から放電する電流の量とをモニタした後、モニタしたこれらの電流の量を積算する等の方法がある。しかし、充電可能量が算出できるものであれば、これに限らず種々の手法を用いることができる。
【００３０】
さらに、個別残容量監視部１０４２は、充電ステーション２００が充電を開始した場合に、電池モジュール１０３に対する充電を開始させ、その後、充電ステーション２００による電池モジュール１０３の充電量をモニタする。また、個別残容量監視部１０４２は、充電ステーション２００による電池モジュール１０３に対する充電が終了したか否かを判定し、充電ステーション２００による電池モジュール１０３に対する充電が終了したと判定した場合、電池モジュール１０３に対する充電が終了した旨の終了通知を充電ステーション２００に送る。
【００３１】
また、個別残容量監視部１０４２は、充電ステーション２００が個々の電池セルＣに対して充電した充電実績量を、上述した記憶部１０４１に記憶させるとともに、電池モジュール１０３に蓄えられた充電量を充電ステーション２００に送る。続いて、判定処理部１０４３について説明する。
【００３２】
判定処理部１０４３は、電池モジュール１０３の状態を判定するもの、すなわち電池モジュール１０３が寿命となったか否かを判定するものである。判定処理部１０４３は、記憶部１０４１が記憶する各回（例えば、直近、前回、および前々回）の電池セルＣの充電実績量と、各回の平均充電実績量とを用いて、各回ごと、および電池セルＣごとに、電池セルＣのずれ量を求める。
【００３３】
さらに、判定処理部１０４３は、各回ごとに、電池セルＣごとのずれ量の差分を算出し、算出したずれ量の差分の分布を生成する。ずれ量の差分の分布は、電池セル１０３ごとに算出されたずれ量の差分に関するデータ（例えば、電池セルＣを特定するための電池セルＩＤとずれ量の差分の値とを含み、判定処理部１０４３が生成するデータ）を、その値の大きさに従って積み重ねてグラフ化したものである。この分布については、図７Ａ〜７Ｃを用いて後述する。
【００３４】
判定処理部１０４３は、生成したずれ量の差分の分布の中で、そのずれ量の差分が離散的な値となっている電池セルＣを特定する。そして、判定処理部１０４３は、ずれ量の差分が離散的な値となっている電池セルＣを特定すると、その電池セルＣについて、直近、前回、および前々回のずれ量の差分の分布を参照して、その推移を比較する。
【００３５】
そして、判定処理部１０４３は、そのずれ量の差分が、あらかじめ定められた基準値よりも大きくなっている電池セルＣがあるか否かを判定した後、あらかじめ定められた基準値よりも大きくなっている電池セルＣがあると判定した場合、その電池セルＣを、他の電池セルＣとは充電量が異なった特異な振る舞いをする電池セルＣであると判定し、その電池セルＣの電池セルＩＤと警告フラグとを対応付けて記憶部１０４１に記憶させる。
【００３６】
判定処理部１０４３は、特異な振る舞いをする電池セルＣの電池セルＩＤと警告フラグとを対応付けて記憶部１０４１に記憶させると、電池モジュール１０３が寿命となったと判定し、その旨の判定結果を表示装置１０２に送る。
【００３７】
ここで、上述した内容をより具体的に説明するために、ｉ個の電池セルＣを有する電池モジュール１０３に対してｊ回目の充電が行われ、ｉ番目の電池セルＣに充電実績量ｘｉｊの電力が充電された場合について考える。この場合、判定処理部１０４３は、まず記憶部１０４１が記憶するｊ回目の電池セルＣの充電実績量ｘｉｊ、ｊ−１回目の充電実績量ｘｉｊ-1、およびｊ−２回目の充電実績量ｘｉｊ-2を取得する。
【００３８】
判定処理部１０４３は、このような充電実績量の取得を、電池モジュール１０３が有するｉ個の電池セルＣの全てに対して行い、例えば、まず１番目の電池セルＣの各回ごとの充電実績量ｘ1ｊ、充電実績量ｘ1ｊ-1、充電実績量ｘ1ｊ-2・・・、充電実績量ｘｉｊ、充電実績量ｘｉｊ-1、充電実績量ｘｉｊ-2を取得し、その後、２番目、３番目…、というように、ｉ個の電池セルＣを対象に、その充電実績量を取得する。なお、以下では、判定処理部１０４３が行う処理について、個々の電池セルＣごとに説明していないが、判定処理部１０４３は、全て（ｉ個）の電池セルＣを対象に、以下に説明する処理を行うものとする。
【００３９】
判定処理部１０４３は、取得した充電実績量の平均値ａを、各回ごとの平均充電実績量ａｊ、平均充電実績量ａｊ-１、平均充電実績量ａｊ-2として算出する。さらに、判定処理部１０４３は、これらの電池セルＣごとの充電実績量と平均充電実績量とを用いて、電池セルＣごとに、平均充電実績量からの充電実績量のずれ量を算出する。例えば、ｊ回目の充電時におけるｉ番目の電池セルＣのずれ量ｄijは、ｄij＝（ｘｉｊ−ａｊ）／ａｊによって算出することができる。
【００４０】
また、判定処理部１０４３は、このように、各回ごとに算出した電池セルＣのずれ量の差分Ｄijを算出する。例えば、ｊ回目の充電時におけるｉ番目の電池セルＣのずれ量の差分Ｄijは、ｊ−１回目の充電時におけるｉ番目の電池セルＣのずれ量ｄij-1との差分ｄij−ｄij-1を求めることによって算出することができる。
【００４１】
そして、判定処理部１０４３は、各回ごとに、算出したずれ量の差分の分布を生成し、そのずれ量の差分が離散的な値となっている電池セルＣを特定する。判定処理部１０４３は、ずれ量の差分が離散的な値となっている電池セルＣを特定すると、その電池セルＣについて、直近、前回、および前々回のずれ量の差分Ｄij、Ｄij-1、Ｄij-2、の分布を参照して、その推移を比較する。離散的な値となっている電池セルＣを特定する方法については、既に述べたとおりであるため、ここではその説明を省略する。
【００４２】
判定処理部１０４３は、そのずれ量の差分が、あらかじめ定められた基準値（閾値）Ｌよりも大きいか否かを判定する。この基準値Ｌは、例えば、ｊ回目の平均充電実績量ａｊと、ｊ回目のｉ番目の電池セルＣのずれ量の差分との比率（例えば、１０％）である。判定処理部１０４３は、このようにして、算出したずれ量の差分が、あらかじめ定められた基準値（閾値）Ｌよりも大きいと判定した場合に、記憶部１０４１にその電池セルＣの電池セルＩＤと警告フラグとを対応付けて記憶部１０４１に記憶し、電池モジュール１０３が寿命となったと旨の判定結果を表示装置１０２に送る。
【００４３】
なお、本実施の形態においては、単に、電池モジュール１０３の寿命となった旨の判定結果を表示装置１０２に送ることとしているが、特異な特性の電池セルＣを特定するための情報（例えば、その電池セルＩＤ）を含めて判定結果を表示装置１０２に送ることとしてもよい。このように、電池セルＩＤを含めた判定結果を表示装置１０２に送ることによって、表示装置１０２は、どの電池セルＣによって電池モジュール１０３が寿命となったのかを表示し、電池モジュール１０３の寿命の原因を詳細に知らせることができる。
【００４４】
図６は、ｉ番目の電池セルＣのずれ量が推移する様子を示す図である。図６に示す例では、判定処理部１０４３が算出したｉ番目の電池セルＣのずれ量の差分が、充電する回数がｊ−２回目、ｊ−１回目、ｊ回目と増えるごとに、平均充電実績量ａｊに対して徐々に増加している（ずれ量の差分が増えている）ことを示している。上述したように、判定処理部１０４３は、個々の電池セルＣについて、このようなずれ量の差分を求めている。
【００４５】
図７Ａ〜Ｃは、各回ごと（ｊ回目、ｊ−１回目、ｊ−２回目）に、判定処理部１０４３が求めたずれ量の差分の分布の例を示す図である。図７Ａに示すように、前々回（ｊ−２回目）の充電時には、ある電池セルＣ’のずれ量の差分は、各電池セルＣのずれ量の差分の分布の中で小さい値ではあるものの基準値Ｌよりも大きい値であり、他の電池セルＣとの関係では連続的となっている。しかし、図７Ｂに示すように、前回（ｊ−１回目）の充電時には、電池セルＣ’のずれ量の差分は、徐々に他の電池セルＣのずれ量の差分の分布から離れ始め、図７Ｃに示す直近（ｊ回目）の充電時には、電池セルＣ’のずれ量の差分は、他の電池セルＣずれ量の差分の分布から離れ、基準値Ｌを超えた位置にあることを示している。
【００４６】
上述したように、図７Ａ〜Ｃに示した電池セルＣ’のずれ量の差分は、実際には、電池セルＣ’の電池セルＩＤと、電池セルＣ’のずれ量の差分の値を含むデータであり、判定処理部１０４３は、その電池セルＩＤを参照することによって、離れた電池セルＣが電池セルＣ’であることを特定している。このように、判定処理部１０４３は、各回ごとのずれ量の差分の分布を比較することによって、ずれ量の差分が離散的な値となっている電池セルＣを特定し、さらに、特定した電池セルＣのずれ量の差分が基準値Ｌよりも大きくなっているか否かを判定することによって、電池モジュール１０３が寿命となったか否かを判定している。
【００４７】
続いて、図１に戻り、充電ステーション２００について説明する。充電ステーション２００は、車両１００に電力を供給するための装置であり、例えば、コンビニエンスストアやガソリンスタンド、あるいは一般家庭等、車両１００を駐車可能なスペースがある様々な場所に設置されうるものである。図１に示すように、充電ステーション２００は、制御装置２０１と、充電機構２０２と、を含んで構成されている。
【００４８】
制御装置２０１は、例えば、ＣＰＵ（Central  Processing  Unit）等の演算装置であり、車両１００への充電に関する種々の制御を行うものである。
【００４９】
制御装置２０１は、充電ステーション２００に備えられた不図示の操作パネルが、充電ステーション２００の操作者（例えば、店員）や車両１００のドライバ（以下、これらを総称してオペレータと呼ぶ。）からの充電を開始するための操作を受け付けると、車両１００の電池モジュール監視装置１０４に、ケーブルＣＡを介して車両１００に搭載された電池モジュール１０３の容量をチェックする指示を送る。
【００５０】
また、制御装置２０１は、電池モジュール監視装置１０４から、電池モジュール１０３の充電可能量を知らせる旨の応答を受けると、充電機構２０２に対して車両１００への充電を開始する指示をする。
【００５１】
そして、制御装置２０１は、電池モジュール監視装置１０４から、車両１００に対する充電が終了した旨の通知、および電池モジュール１０３に蓄えられた充電量を送る応答を受けると、不図示の操作パネルに車両１００に対する充電が完了した旨を表示させ、例えば、不図示のスピーカによる音声案内等によって、その旨をオペレータに報知させる。
【００５２】
充電機構２０２は、例えば商用電源であり、制御装置２０１から充電を開始する旨の指示を受けた場合に、ケーブルＣＡを介して車両１００に対する電力を供給する。
【００５３】
続いて、充電システム１０００で行われる充電処理について説明する。図８は、充電システム１０００で行われる充電処理のシーケンス図である。
【００５４】
図８に示すように、オペレータが充電ステーション２００に対して車両１００の充電操作を行い、その操作を充電ステーション２００が受け付けると（ステップＳ８０１）、充電ステーション２００は、電池モジュール監視装置１０４に電池モジュール１０３の容量をチェックする指示を行う（ステップＳ８０２）。
【００５５】
そして、電池モジュール監視装置１０４の個別残容量監視部１０４２は、電池モジュール１０３の電圧をチェックし（ステップＳ８０３）、電池モジュール１０３からその結果を受けると（ステップＳ８０４）、充電可能量を算出し、算出した充電可能量を充電ステーション２００に送る（ステップＳ８０５）。
【００５６】
充電ステーション２００は、電池モジュール監視装置１０４の個別残容量監視部１０４２から充電可能量を受けると、充電機構２０２に対して充電を開始する指示を行い、充電機構２０２は、車両１００に対する充電を開始する（ステップＳ８０６）。
【００５７】
車両１００に対する充電が開始されると、電池モジュール監視装置１０４の個別残容量監視部１０４２は、電池モジュール１０３に対する充電量をモニタし（ステップＳ８０７）、電池モジュール１０３に対する充電が終了したか否かを判定する（ステップＳ８０８）。
【００５８】
電池モジュール監視装置１０４の個別残容量監視部１０４２は、電池モジュール１０３に対する充電が終了したと判定した場合、充電が終了した旨の終了通知を充電ステーション２００に送り（ステップＳ８０９）、さらに電池モジュール１０３に蓄えられた充電量を充電ステーション２００に送る（ステップＳ８１０）。
【００５９】
充電ステーション２００の制御装置２０１は、電池モジュール監視装置１０４の個別残容量監視部１０４２から終了通知および電池モジュール１０３に蓄えられた充電量を受けると、不図示の操作パネルに充電が終了した旨を表示させ（ステップＳ８１１）、オペレータに対してその旨を報知させる（ステップＳ８１２）。
【００６０】
また、電池モジュール監視装置１０４の個別残容量監視部１０４２は、ステップＳ６０９およびステップＳ６１０の処理が終了すると、個々の電池セルＣに対する充電実績量を、記憶部１０４１に記憶させる（ステップＳ８１３）。
【００６１】
個々の電池セルＣに対する充電実績量が記憶部１０４１に記憶されると、電池モジュール監視装置１０４の判定処理部１０４３は、電池モジュール１０３が寿命となったか否かを判定する判定処理を行う（ステップＳ８１４）。
【００６２】
図９は、上述した判定処理の処理手順を示すフローチャートである。図９に示すように、まず、判定処理部１０４３は、まず、記憶部１０４１が記憶する直近の電池セルＣの充電実績量を取得し（ステップＳ９０１）、さらに、過去（前回、および前々回）の全ての電池セルＣの充電実績量を取得する（ステップＳ９０２）。
【００６３】
そして、判定処理部１０４３は、ステップＳ８５１およびステップＳ９０２で取得した充電実績量と、各回の平均充電実績量とを用いて、電池セルＣの充電実績量の平均充電実績量からのずれ量を求め、各回ごとに、ずれ量の差分の分布を生成する（ステップＳ９０３）。
【００６４】
判定処理部１０４３は、求めたずれ量の差分の分布の中で、そのずれ量の差分が離散的な値となっている電池セルＣを特定し（ステップＳ９０４）、その電池セルＣについて、ずれ量の差分の分布を参照して、その推移を比較する（ステップＳ９０５）。
【００６５】
そして、判定処理部１０４３は、そのずれ量の差分が、あらかじめ定められた基準値よりも大きくなっている電池セルＣがあるか否かを判定し（ステップＳ９０６）、あらかじめ定められた基準値よりも大きくなっている電池セルＣがあると判定した場合（ステップＳ９０６；Ｙｅｓ）、その電池セルＣの電池セルＩＤと警告フラグとを対応付けて記憶部１０４１に記憶させる（ステップＳ９０７）。
【００６６】
一方、判定処理部１０４３は、あらかじめ定められた基準値よりも大きくなっている電池セルＣがないと判定した場合（ステップＳ９０６；Ｎｏ）、そのまま処理を終了させる。このステップＳ９０６またはステップＳ９０７の処理が終了すると、図９に示した判定処理の全ての処理が終了する。
【００６７】
図１０は、図９に示した判定処理のさらに具体的な処理手順を示すフローチャートである。図１０に示すように、判定処理部１０４３は、ｊ回目の電池セルＣの充電実績量ｘｉｊを取得し（ステップＳ１００１）、さらに、ｊ−１回目の充電実績量ｘｉｊ-1、およびｊ−２回目の充電実績量ｘｉｊ-2を取得する（ステップＳ１００２）。
【００６８】
そして、判定処理部１０４３は、各回ごとに平均充電実績量ａｊ、平均充電実績量ａｊ-１、平均充電実績量ａｊ-2を算出し（ステップＳ１００３）、これらの電池セルＣごとの充電実績量と平均充電実績量とを用いて、電池セルＣごとに、平均充電実績量からの充電実績量のずれ量を算出する（ステップＳ１００４）。
【００６９】
その後、判定処理部１０４３は、各回ごとに、算出した電池セルＣのずれ量の差分Ｄijを算出し（ステップＳ１００５）、算出したずれ量の差分の分布を生成し、そのずれ量の差分が離散的な値となっている電池セルＣを特定する（ステップＳ１００６）。
【００７０】
判定処理部１０４３は、ステップＳ１００６を行うと、その電池セルＣについて、直近、前回、および前々回のずれ量の差分Ｄij、Ｄij-1、Ｄij-2、の分布を参照して、その推移を比較する（ステップＳ１００７）。
【００７１】
そして、判定処理部１０４３は、そのずれ量の差分が、あらかじめ定められた基準値（閾値）Ｌよりも大きいか否かを判定し（ステップＳ１００８）、ずれ量の差分が、あらかじめ定められた基準値（閾値）Ｌよりも大きいと判定した場合（ステップＳ１００８；Ｙｅｓ）、記憶部１０４１にその電池セルＣの電池セルＩＤと警告フラグとを対応付けて記憶部１０４１に記憶させる（ステップＳ１００９）。
【００７２】
一方、判定処理部１０４３は、ずれ量の差分が、あらかじめ定められた基準値（閾値）Ｌよりも大きくないと判定した場合（ステップＳ１００８；Ｎｏ）、そのまま処理を終了させる。このステップＳ１００８またはステップＳ１００９の処理が終了すると、図１０に示した全ての処理が終了する。続いて、図８に戻り、ステップＳ８１４以降の各処理について説明する。
【００７３】
電池モジュール監視装置１０４の判定処理部１０４３は、判定処理（ステップＳ８１４）を行うと、その判定結果を表示装置１０２に送る（ステップＳ８１５）。その後、表示装置１０２は、その判定結果を受け取ると、電池モジュール１０３が寿命となったことを示すインジケータＩを表示する（ステップＳ８１６）。このステップＳ８１６の処理が終了すると、図８に示した充電システム１０００が行う充電処理の全ての処理が終了する。
【００７４】
このように、車両１００に対して供給される電力を蓄電する複数の電池セルＣから構成される電池モジュール１０３を監視する電池モジュール監視装置１０４において、記憶部１０４１が、電池セルＣごとに、蓄電された電力の充電量を履歴で記憶し、個別残容量監視部１０４２が、電池セルＣに対して供給される電力の充電量を監視するとともに、電池モジュール１０３に対する充電が完了したか否かを判定し、電池モジュール１０３に対する充電が完了したと判定した場合に、電池セルＣに対する充電量を記憶部１０４１に記憶させ、判定処理部１０４３が、記憶部１０４１に履歴で記憶された充電量に基づいて、他の電池セルＣとは異なる特性の電池セルＣ’があるか否かを判定し、他の電池セルＣとは異なる特性の電池セルＣ’があると判定した場合に、電池モジュール１０３が寿命であると判定するので、二次電池の寿命を精度よく予測することができる。
【００７５】
（第２の実施の形態）
上述した第１の実施の形態においては、車両に搭載された電池モジュール監視装置の判定処理部が充電モジュールの寿命を判定し、その判定結果を表示装置に表示させることとした。しかし、判定結果を車両に表示できない場合や、車両の構成を簡略化したい場合もある。そこで、そのような場合に備え、第２の実施の形態においては、車両側で充電状況を監視し、充電ステーション側で電池モジュールの寿命の判定およびその判定結果を表示する場合について説明する。
【００７６】
図１１は、本発明の第２の実施の形態にかかる充電システム２０００の構成を示すブロック図である。図１１に示すように、充電システム２０００は、第１の実施の形態における車両１００とは異なる車両４００と、第１の実施の形態における充電ステーション２００とは異なる充電ステーション８００と、サーバ装置８５０と、ネットワークＮと、を含んで構成されている。以下の説明では、上述した第１の実施の形態と同一の構成要素には同一の符号を付してその説明を省略している。なお、ネットワークＮは、例えば、インターネット等の一般的な公衆回線網である。
【００７７】
車両４００は、第１の実施の形態における電池モジュール１０３とは異なる電池モジュール４０３と、第１の実施の形態における電池モジュール監視装置１０４とは異なる電池モジュール監視装置４０４を備え、表示装置を備えていない点で、第１の実施の形態における車両１００とは異なっている。なお、上述したように、これら以外の装置については第１の実施の形態と同様であるため、その説明を省略する。
【００７８】
電池モジュール４０３は、第１の実施の形態における電池モジュールと同様の構成を備えるほか、車両を一意に特定するためのＩＤ（以下、固有ＩＤと呼ぶ。）を、その内部の不図示のメモリ等に記憶している。
【００７９】
また、電池モジュール４０３は、電池モジュール監視装置４０４の個別残容量監視部４０４２から電池モジュール４０３の電圧のチェックを受けると、その結果と固有ＩＤとを電池モジュール監視装置４０４の個別残容量監視部４０４２に送る。続いて、電池モジュール監視装置４０４について説明する。
【００８０】
図１２は、電池モジュール監視装置４０４の機能的な構成を示すブロック図である。図４に示すように、電池モジュール監視装置４０４は、第１の実施の形態における個別残容量監視部１０４２とは異なる個別残容量監視部４０４２を含んで構成されている。
【００８１】
個別残容量監視部４０４２は、第１の実施の形態と同様の処理を行うほか、電池モジュール４０３から電圧をチェックした結果と固有ＩＤとを受けると、第１の実施の形態と同様に充電可能量を算出し、算出した充電可能量と固有ＩＤとを充電ステーション８００に送る。続いて、図１１に戻り、充電ステーション８００について説明する。
【００８２】
図１１に示すように、充電ステーション８００は、第１の実施の形態における充電ステーション２００と同様の制御装置２０１と、充電機構２０２と、を備えるほか、通信装置８０１と、表示装置８０２と、判定処理装置８０３と、をさらに備えている点で、第１の実施の形態における充電ステーション２００とは異なっている。
【００８３】
通信装置８０１は、例えば、モデムであり、ネットワークＮを介してサーバ装置８５０との間で通信を行う。通信装置８０１は、電池モジュール監視装置４０４からケーブルＣＡを介して充電可能量と固有ＩＤとを受けた場合に、その固有ＩＤをキーに、サーバ装置８５０に対して、図５に示したような充電実績情報や平均充電実績情報を取得するための問い合わせを行う。また、通信装置８０１は、サーバ装置８５０に上述した問い合わせを行った後、その結果および充電実績情報や平均充電実績情報を取得する。
【００８４】
表示装置８０２は、例えば、タッチパネルであり、オペレータからの充電を開始するための操作を受け付ける。また、表示装置８０２は、車両４００に対する充電が終了した旨、あるいは判定処理装置８０３が、電池モジュール４０３が寿命となった旨の判定結果を表示する。
【００８５】
判定処理装置８０３は、通信装置８０１が、サーバ８５０から充電実績情報や平均充電実績情報を取得すると、電池モジュール４０３が寿命となったか否かを判定する判定処理を行う。この判定処理は、第１の実施の形態における判定処理と同様であるため、ここではその説明を省略する。続いて、サーバ装置８５０について説明する。
【００８６】
サーバ装置８５０は、充電実績情報や平均充電実績情報を、車両４００ごとに記憶するものであり、データベース８５１を備えている。
【００８７】
データベース８５１は、車両ＩＤをキーとして、車両４００ごとに、図５に示したような充電実績情報や平均充電実績情報を記憶する。サーバ装置８５０は、充電ステーション８００の通信装置８０１から、充電実績情報や平均充電実績情報を取得するための問い合わせを受けると、車両ＩＤをキーにして、その車両についての充電実績情報や平均充電実績情報をデータベース８５１から取り出して、受電ステーション８００に送信する。
【００８８】
なお、以下では特に説明していないが、サーバ装置８５０のデータベース８５１が記憶するこれらの情報は、例えば、車両４００が充電される都度、すなわち通信装置８０１が車両ＩＤを受けた都度、サーバ装置８５０に送信され、サーバ装置８５０は、これらの情報を不図示の通信装置によって受信し、データベース８５１に書き込んで更新しているものとする。
【００８９】
続いて、充電システム２０００で行われる充電処理について説明する。図１３は、充電システム２０００で行われる充電処理のシーケンス図である。なお、充電システム２０００で行われる充電処理において、ステップＳ１３０１〜Ｓ１３０３、Ｓ１３０７〜１３１１、Ｓ１３１３については、第１の実施の形態における充電処理と同様であるため、以下ではその説明を省略している。
【００９０】
電池モジュール１０３は、電池モジュール監視装置１０４の個別残容量監視部４０４２から電池モジュール１０３の電圧のチェックを受けると（ステップＳ１３０３）、その結果と固有ＩＤとを電池モジュール監視装置１０４の個別残容量監視部４０４２に送る（ステップＳ１３０４）。
【００９１】
そして、電池モジュール監視装置４０４は、その固有ＩＤと充電可能量を充電ステーション８００に送り（ステップＳ１３０５）、充電ステーション８００の通信装置８０１は、固有ＩＤをキーに、サーバ装置８５０に対して充電実績情報や平均充電実績情報を取得するための問い合わせを行う（ステップＳ１３０６）。
【００９２】
その後、ステップＳ１３０７からＳ１３１１までの各処理が行われ、サーバ装置８５０は、データベース８５１から、その固有ＩＤの充電実績情報や平均充電実績情報を取り出して、充電ステーション８００に送信する（ステップＳ１３０７）。
【００９３】
そして、充電ステーション８００の判定処理装置８０３が判定処理を行い（ステップＳ１３１３）、表示装置８０２は、車両４００に対する充電が終了した旨を表示し（ステップＳ１３１４）、さらに判定結果を表示する（ステップＳ１３１５）。
【００９４】
ステップＳ１３１５において判定結果が表示されると、オペレータは、表示装置８０２に表示された内容をチェックする（ステップＳ１３１６）。このステップＳ１３１６の処理が終了すると、図１３に示した充電処理システム２０００が行う充電処理の全ての処理が終了する。
【００９５】
このように、複数の電池セルＣから構成される電池モジュール４０３が蓄電する電力を車両４００に対して供給する充電ステーション８００において、表示装置８０２が、車両４００に対する充電操作を受け付け、通信装置８０１が、表示装置８０２が充電操作を受け付けた場合に、車両４００に対する電力を供給する充電機構２０２と、電池モジュール４０３から充電が完了した旨の通知を受けて、電池モジュール４０３を構成する電池セルＣごとに電力の充電量を履歴で記憶したサーバ装置８５０（データベース８５１）から、履歴で記憶された充電量をネットワークＮを介して取得し、判定処理装置８０３が、通信装置８０１が取得した履歴で記憶された充電量に基づいて、他の電池セルＣとは異なる特性の電池セルＣ’があるか否かを判定し、他の電池セルＣとは異なる特性の電池セルＣ’があると判定した場合に、電池モジュール４０３が寿命であると判定するので、車両の構成を簡略化しつつ、二次電池の寿命を精度よく予測することができる。
【００９６】
（第３の実施の形態）
上述した第１または第２の実施の形態においては、判定結果の表示を電池モジュールとは異なる装置に表示させることとした。しかし、車両の表示装置が故障した場合等に、ボンネットを開けて、オペレータが電池モジュールの充電状態を直接チェックしたい場合もある。そこで、そのような場合に備え、第３の実施の形態においては、電池モジュール自体に表示部を有し、その表示部が電池モジュールの寿命の判定結果を表示する場合について説明する。
【００９７】
図１４は、本発明の第３の実施の形態にかかる充電システム３０００の構成を示すブロック図である。図１４に示すように、充電システム３０００は、第１または第２の実施の形態における車両１００、車両４００とは異なる車両５００と、第１または第２の実施の形態における充電ステーション２００、充電ステーション８００とは異なる充電ステーション９００と、を含んで構成されている。以下の説明では、上述した第１または第２の実施の形態と同一の構成要素には同一の符号を付してその説明を省略している。
【００９８】
車両５００は、第１または第２の実施の形態における電池モジュールとは異なる電池モジュール５０３を備え、表示装置を備えていない点で、第１または第２の実施の形態における車両とは異なっている。なお、これら以外の装置については第１または第２の実施の形態と同様であるため、その説明を省略する。
【００９９】
電池モジュール５０３は、第１または第２の実施の形態における電池モジュールと同様の構成を備えるほか、電池モジュール５０３の寿命の判定結果を表示する表示部を有している。
【０１００】
図１５は、電池モジュール５０３の外観を示す図である。図１５に示すように、電池モジュール５０３は、その一部に、寿命の判定結果を表示するための表示部５０３１を有している。表示部５０３１は、例えば、液晶パネルであり、電池モジュール監視装置１０４の判定処理部１０４３からの指示に従って、あるいは電池モジュール５０３内部のチップ等から構成される表示制御部（不図示）からの指示に従って、図２に示したようなインジケータＩ等の判定結果を表示する。
【０１０１】
なお、本実施の形態においては、単に、電池モジュール５０３の寿命となった旨の判定結果を電池モジュール５０３が表示することとしているが、電池モジュール５０３が、電池モジュール監視装置１０４から特異な特性の電池セルＣを特定するための情報（例えば、その電池セルＩＤ）を含めて判定結果を受けた場合には、これらを合わせて表示部５０３１に表示することとしてもよい。このように、電池セルＩＤを含めた判定結果を表示部５０３１が表示することによって、どの電池セルＣによって電池モジュール１０３が寿命となったのかが表示され、電池モジュール１０３の寿命の原因を詳細に知らせることができる。図１４に戻り、充電ステーション９００について説明する。
【０１０２】
充電ステーション９００は、第２の実施の形態における表示装置８０２とは異なる表示装置９０２を備え、通信装置および判定処理装置を備えていない点で、第２の実施の形態における充電ステーション８００とは異なっている。
【０１０３】
表示装置９０２は、オペレータからの充電を開始するための操作を受け付けたり、車両４００に対する充電が終了した旨を表示する。なお、上述したように、電池モジュール４０３が寿命となった旨の判定結果については、電池モジュール５０３の表示部５０３１が表示する。
【０１０４】
続いて、充電システム３０００で行われる充電処理について説明する。図１６は、充電システム３０００で行われる充電処理のシーケンス図である。なお、充電システム３０００で行われる充電処理において、ステップＳ１６０１〜Ｓ１６１０については、第１または第２の実施の形態における充電処理と同様であるため、以下ではその説明を省略している。
【０１０５】
電池モジュール監視装置１０４の個別残容量監視部１０４２が、充電が終了した旨の終了通知を充電ステーション２００に送り（ステップＳ１６０９）、さらに電池モジュール５０３に蓄えられた充電量を充電ステーション９００に送ると（ステップＳ１６１０）、充電ステーションの表示装置９０２は、車両５００に対する充電が終了した旨を表示し（ステップＳ１６１１）、オペレータに対してその旨を報知する（ステップＳ１６１２）。
【０１０６】
また、ステップＳ１６１０の処理が終了すると、電池モジュール監視装置１０４の判定処理部１０４３は、電池モジュール５０３が寿命となったか否かを判定する判定処理を行い（ステップＳ１６１３）、その判定結果を出力する（ステップＳ１６１４）。
【０１０７】
電池モジュール監視装置１０４の判定処理部１０４３によって、上述した判定結果が出力されると、電池モジュール５０３の表示部５０３１は、その判定結果を表示し（ステップＳ１６１５）、オペレータは、その表示部５０３１に表示された内容をチェックする（ステップＳ１６１６）。このステップＳ１６１６の処理が終了すると、図１６に示した充電処理３０００が行う充電処理の全ての処理が終了する。
【０１０８】
このように、車両５００に対して供給される電力を蓄電する複数の電池セルＣから構成される電池モジュール５０３において、表示部５０３１が、電池モジュール５０３を監視する電池モジュール監視装置１０４に履歴で記憶された電池セルＣごとに蓄電された電力の充電量に基づいて、他の電池セルＣとは異なる特性の電池セルＣ’があるか否かを判定し、他の電池セルＣとは異なる特性の電池セルＣ’があると判定した場合に、電池モジュール５０３が寿命であると判定した旨を表示するので、さらに車両の構成を簡略化しつつ、二次電池の寿命を精度よく予測することができる。
【０１０９】
また、電池モジュール自体に表示部を有しているので、それまで車両に搭載されていた電池モジュールを、上述した第３の実施形態における電池モジュールに交換するだけで、二次電池の寿命を容易に確認できるとともに、電池モジュールを交換すべきことを容易に認識することができる。
【０１１０】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１１１】
１０００  ２０００  ３０００  充電システム
１００  ４００  ５００  車両
１０１  動力装置
１０２  表示装置（車両）
１０３  ５０３  電池モジュール
１０４  ４０４  電池モジュール監視装置
１０４１  記憶部
１０４２  個別残容量監視部
１０４３  判定処理部
２００  ８００  ９００  充電ステーション
２０１  制御装置
２０２  充電機構
８０１  通信装置
８０２  ９０２  表示装置（充電ステーション）
８０３  判定処理装置
９００  サーバ装置
９０１  データベース
５０３１  表示部（電池モジュール）
Ｃ  Ｃ’  電池セル
ＣＡ  ケーブル
Ｎ  ネットワーク。
【図１】
2011196705.tif 000003
【図２】
2011196705.tif 000004
【図３】
2011196705.tif 000005
【図４】
2011196705.tif 000006
【図５】
2011196705.tif 000007
【図６】
2011196705.tif 000008
【図７Ａ】
2011196705.tif 000009
【図７Ｂ】
2011196705.tif 000010
【図７Ｃ】
2011196705.tif 000011
【図８】
2011196705.tif 000012
【図９】
2011196705.tif 000013
【図１０】
2011196705.tif 000014
【図１１】
2011196705.tif 000015
【図１２】
2011196705.tif 000016
【図１３】
2011196705.tif 000017
【図１４】
2011196705.tif 000018
【図１５】
2011196705.tif 000019
【図１６】
2011196705.tif 000020